(57)【特許請求の範囲】
【請求項１】
スイッチ本体と、当該スイッチ本体の前面側に揺動自在に取り付けられスイッチ本体の操作に用いられる操作ハンドルと、スイッチ本体を造営材に取り付ける枠状の取付部とを備え、
スイッチ本体は、取付部の中央に形成された取付窓から前面を露出する形で取付部に取り付けられ、
操作ハンドルは、スイッチ本体と操作ハンドルの一方に設けられた揺動軸部と、スイッチ本体と操作ハンドルの他方に設けられ揺動軸部と係合される軸受け部とからなる係合部により、取付窓の内側に収まる形でスイッチ本体の前面側に揺動自在に取り付けられ、
取付部は、スイッチ本体が取り付けられる矩形枠状の取付枠と、当該取付枠の前面を覆う形で取付枠に取り付けられる矩形枠状の化粧プレートとを具備し、
化粧プレートは、取付枠の前面側に取り付けられる矩形枠状のベースと、当該ベースの前面側に固定される化粧カバーとで構成され、
ベースの四辺のうちの一辺には前面側に膨出する膨出部が形成されるとともに、当該膨出部の取付窓側の端部には前後方向において係合部と重複する被覆部が設けられ、
化粧カバーは、ベースの四辺のうち膨出部が形成された一辺を除く残り三辺の前面を覆う形のコ字状に形成されていることを特徴とするスイッチ装置。
【請求項２】
上記スイッチ本体は、操作状態に応じて前方に光を照射する発光源を備え、
上記操作ハンドルの前面において上記膨出部側の縁部には、発光源が照射した光を前方に出射させる表示窓が、上記縁部に沿って形成されていることを特徴とする請求項１記載のスイッチ装置。
【発明の詳細な説明】
【技術分野】
【０００１】
本発明は、壁などの造営材に設置されるスイッチ装置に関するものである。
【背景技術】
【０００２】
従来から、壁などの造営材に設置されるスイッチ装置が種々提供されている。この種のスイッチ装置としては、図１６（ａ）〜（ｃ）に示すように、接点開閉機構部（図示せず）を器体１０１に収納してなるスイッチ本体１００と、当該スイッチ本体１００の前面側（図１６（ｂ）における左面側）に揺動自在に取り付けられスイッチ本体１００の操作（器体１０１に収納された上記接点開閉機構部の開閉操作）に用いられる操作ハンドル１１０と、スイッチ本体１００を造営材に取り付ける枠状の取付部１２０とを備える（例えば、特許文献１，２参照）。
【０００３】
スイッチ本体１００の器体１０１の前面には、操作ハンドル１１０を揺動自在に取り付けるための揺動軸部（図示せず）が設けられ、この揺動軸部と操作ハンドル１１０の後面に形成した軸受け部（図示せず）とを係合することによって、操作ハンドル１１０がスイッチ本体１００の前面側に揺動自在に取り付けられる。ここで、スイッチ本体１００は、取付部１２０の中央に形成された取付窓１２１から前面を露出する形で取付部１２０に取り付けられ、操作ハンドル１１０は、取付窓１２１の内側に収まる形でスイッチ本体１１０の前面側に取り付けられる（図１６（ａ）参照）。
【０００４】
一方、スイッチ本体１００の器体１０１の後面には、電源（一例としては商用電源）や負荷（一例としては照明器具などの照明負荷）などの接続に使用する電源線を器体１０１内に挿入して、上記接点開閉機構部に接続するための電線挿入孔（図示せず）が設けられる。また、スイッチ本体１００には、上記接点開閉機構部の開閉状態に応じて点灯または消灯する図示しない発光源（一例としてはネオンランプ）が収納される。当該発光源より放射された光は、操作ハンドル１１０に設けた表示窓１１１を通じてスイッチ装置の前方に出射される。
【０００５】
また、図１６に示す取付部１２０は、スイッチ本体１００を取り付ける矩形枠状の取付枠１３０と、主として取付枠１３０の見栄えをよくするために取付枠１３０の前面を覆う形で取付枠１３０に取り付けられる矩形枠状の化粧プレート１４０とで構成される。
【特許文献１】特開平５−２３４４６６号公報
【特許文献１】特開平１０−１０６３９３号公報
【発明の開示】
【発明が解決しようとする課題】
【０００６】
上述したスイッチ装置を造営材に設置するにあたっては、取付枠１３０にスイッチ本体１００を取り付けた後に、スイッチ本体１００に操作ハンドル１１０を取り付け、最後に化粧プレート１４０を取付枠１３０に取り付けるという手順が一般的である。
【０００７】
ここで、操作ハンドル１１０は上記揺動軸部と上記軸受け部とを係合させることでスイッチ本体１００の前面側に揺動自在に取り付けられているので、化粧プレート１４０を取付枠１３０に取り付ける際に、化粧プレート１４０を操作ハンドル１１０にぶつけてしまうと、操作ハンドル１１０がスイッチ装置１００から外れて（脱落して）しまうおそれがある。操作ハンドル１１０がスイッチ本体１００から脱落した際には、操作ハンドル１１０で隠されていたスイッチ本体１００に接続された電源線を触ってしまうおそれがあり、電源線の剥き代が長いときには、電源線に触れた人が感電するおそれがあった。
【０００８】
操作ハンドル１１０のスイッチ本体１００からの脱落は、化粧プレート１４０の取り付け時に限ったことではなく、例えば、操作ハンドル１１０に何らかの物体が衝突したときや、スイッチ装置の操作時に操作ハンドル１１０に過剰な力をかけたりしたときにも同様に起こり得る。
【０００９】
本発明は上述の点に鑑みて為されたもので、その目的は、操作ハンドルがスイッチ本体から脱落してしまうことを防止できるスイッチ装置を提供することにある。
【課題を解決するための手段】
【００１０】
上述の課題を解決するために、請求項１の発明では、スイッチ本体と、当該スイッチ本体の前面側に揺動自在に取り付けられスイッチ本体の操作に用いられる操作ハンドルと、スイッチ本体を造営材に取り付ける枠状の取付部とを備え、スイッチ本体は、取付部の中央に形成された取付窓から前面を露出する形で取付部に取り付けられ、操作ハンドルは、スイッチ本体と操作ハンドルの一方に設けられた揺動軸部と、スイッチ本体と操作ハンドルの他方に設けられ揺動軸部と係合される軸受け部とからなる係合部により、取付窓の内側に収まる形でスイッチ本体の前面側に揺動自在に取り付けられ、取付部は、スイッチ本体が取り付けられる矩形枠状の取付枠と、当該取付枠の前面を覆う形で取付枠に取り付けられる矩形枠状の化粧プレートとを具備し、化粧プレートは、取付枠の前面側に取り付けられる矩形枠状のベースと、当該ベースの前面側に固定される化粧カバーとで構成され、ベースの四辺のうちの一辺には前面側に膨出する膨出部が形成されるとともに、当該膨出部の取付窓側の端部には前後方向において係合部と重複する被覆部が設けられ、化粧カバーは、ベースの四辺のうち膨出部が形成された一辺を除く残り三辺の前面を覆う形のコ字状に形成されていることを特徴とする。
【００１１】
請求項１の発明によれば、取付部の取付窓の開口縁部に設けた被覆部が、操作ハンドルの前面の一部分を覆っているので、例えば操作ハンドルに物体が衝突したときや、操作時に操作ハンドルに過剰な力がかけられたときでも、操作ハンドルの前面に被覆部が当接することによって、操作ハンドルがスイッチ本体から外れることが抑制されるから、操作ハンドルがスイッチ本体から脱落してしまうことを防止できる。また、操作ハンドルをスイッチ本体の前面側に揺動自在に取り付ける係合部が被覆部により保護されるので、例えば操作ハンドルに物体が衝突したときや、操作時に操作ハンドルに過剰な力がかけられたときでも、過大な負荷が係合部に直接的にかかることが防止され、しかもスイッチ本体と被覆部とで係合部を挟み込むことで、揺動軸部と軸受け部との係合状態が解除されることが防止されるから、操作ハンドルがスイッチ本体から脱落してしまうことを確実に防止できる。さらに、取付部の美観を向上することができ、しかもベースに設けた膨出部を利用して化粧カバーの位置決めを行えるから、化粧カバーをベースの四辺の前面を覆う形の矩形枠状に形成する場合に比べれば、化粧プレートの組立性を向上することができる。
【００１４】
請求項２の発明では、請求項１の発明において、上記スイッチ本体は、操作状態に応じて前方に光を照射する発光源を備え、上記操作ハンドルの前面の一の縁部には、発光源が照射した光を前方に出射させる表示窓が、上記縁部に沿って形成されていることを特徴とする。
【００１５】
請求項２の発明によれば、操作ハンドルの一の縁部に沿って表示窓が形成されているために、発光源が発光した際には操作ハンドルの縁部が光って見えるので、発光源の発光時に操作ハンドルと取付部との境界が分かり易くなり、取付部を操作ハンドルと見誤ってしまうことを防止できるから、操作性を向上することができる。
【発明の効果】
【００１８】
本発明は、操作ハンドルがスイッチ本体から脱落してしまうことを防止できるという効果を奏する。
【発明を実施するための最良の形態】
【００１９】
本発明の一本実施形態のスイッチ装置について説明する。なお、以下の説明では、特に断りがない限り、図１（ａ）における上下方向をスイッチ装置の前後方向と規定する。また、図３（ａ）における左右方向をスイッチ装置の幅方向、図３（ａ）における上下方向をスイッチ装置の長さ方向と規定する。
【００２０】
本実施形態のスイッチ装置は、壁などの造営材に取り付けられる所謂埋め込み型のものであって、図１〜図３に示すように、スイッチ本体１と、当該スイッチ本体１の前面側（図１（ａ）における上面側）に揺動自在に取り付けられスイッチ本体１の操作に用いられる操作ハンドル２と、スイッチ本体１を造営材に取り付ける枠状の取付部３とを備える。本実施形態のスイッチ装置においては、スイッチ本体１は、取付部３の中央に形成された取付窓３ａから前面を露出する形で取付部３に取り付けられ、操作ハンドル２は、取付窓３ａの内側に収まる形でスイッチ本体２の前面側に取り付けられる。なお、図１（ａ）は図３（ａ）におけるＡ−Ａ線矢視断面図であり、図２（ａ）は図３（ａ）におけるＢ−Ｂ線矢視断面図である。
【００２１】
スイッチ本体１は、接点開閉機構部４と照光ブロック５とが収納された器体６を備える。器体６は、前面（厚み方向一面）が開口した直方体の箱状のボディ６０と、ボディ６０との間に接点開閉機構部４および照光ブロック５を収納する形でボディ６０の前面側に被着されるカバー６１とで構成される。これらボディ６０およびカバー６１は例えば絶縁性を有する樹脂材料により形成された樹脂成形品である。
【００２２】
ボディ６０の短手方向（スイッチ装置の長さ方向に沿った方向、図３（ｂ）における上下方向）における両外側面それぞれには一対の組立突起６０ａが形成される。一対の組立突起６０ａは、ボディ６０の長手方向（スイッチ装置の幅方向に沿った方向、図３（ｃ）における左右方向）で互いに離間する。これら一対の組立突起６０ａはボディ６０にカバー６１を結合するために使用される。一方、ボディ６０の底壁部（後壁部）には、外部電源（例えば商用電源など）や負荷（例えば照明負荷など）の電線（図示せず）をボディ６０内（器体６内）に挿入するための電線挿入孔（図示せず）が貫設される。このような電線挿入孔は例えばボディ６０の底壁部の四隅それぞれに形成される。さらに、ボディ６０の底壁部の長手方向両端側それぞれにおける上記電線挿入孔の近傍には、工具（一例としてはマイナスドライバ）の先端部が挿入可能な操作孔６０ｂが貫設される。当該操作孔６０ｂは後述する解除釦４３を操作するために使用される。
【００２３】
カバー６１は、後面（厚み方向他面）が開口した直方体の箱状に形成される。このカバー６１は、前後方向を法線方向とする平面における外形サイズがボディ６０とほぼ同じ大きさである。カバー６１の短手方向（図３（ｂ）における上下方向）の両外側面それぞれの後端部には、図３（ｃ）に示すように、一対の組立舌片６１ａが突設される。一対の組立舌片６１ａはカバー６１の長手方向（図３（ｃ）における左右方向）において互いに離間する。これら組立舌片６１ａには組立孔６１ｂが形成される。当該組立孔６１ｂにボディ６０の組立突起６０ａを挿入して、組立舌片６１ａと組立突起６０ａとを係合させることにより、ボディ６０とカバー６１とが結合される。また、カバー６１の長手方向の両外側面それぞれには、後述する取付枠７の取付孔７ｂに挿入される一対の取付爪６１ｃが突設される。一対の取付爪６１ｃはカバー６１の短手方向において互いに離間する。
【００２４】
ここで、器体６の短手方向の寸法は、取付枠７の後述する窓孔７ａの長手方向（スイッチ装置の長さ方向に沿った方向）の寸法の略３分の１の寸法（以下の説明ではこの寸法を１個モジュール寸法と呼称する）に形成される。つまり、取付枠７は、１個モジュール寸法の器体６を３個まで取り付けることができる。上述の取付枠７においては、取付孔７ｂは、窓孔７ａの短手方向（スイッチ装置の幅方向に沿った方向）における両内側面それぞれに８つずつ設けられる。そのため、取付枠７では、窓孔７ａ内で器体６の取付位置を、複数箇所（図１２〜図１５参照）から選択できる。
【００２５】
ところで、カバー６１の前面における長手方向一端側（図２（ａ）における右側）には、略矩形状の凹部６１ｄが形成される。凹部６１ｄには、後述する押釦ハンドル６２が前後方向に移動自在に収納される。さらにカバー６１の長手方向における凹部６１ｄの内側面には、押釦ハンドル６２を前後方向に移動自在に取り付けるために使用する取付孔部６１ｅが形成される。この取付孔部６１ｅは前端部が開放されていないため、押釦ハンドル６２のカバー６１からの脱落が防止される。また、凹部６１ｄの底壁部には、接点開閉機構部４の開閉状態を切り替える反転ハンドル６３を器体６の前面側に臨ませる孔部６１ｆが開口されており、カバー６１の短手方向における内側面それぞれには、反転ハンドル６３の前端部を孔部６１ｆから前方に突出させる形で反転ハンドル６３を揺動自在に支持する軸受け部６１ｇがそれぞれ設けられる。
【００２６】
一方、カバー６１の前面における長手方向他端側（図２（ａ）における左側）には、照光ブロック５の発光源５０（例えば発光ダイオードやネオンランプ）が放射する光を器体６から外方（前方）に出射するための開口窓６１ｈが開口する。この開口窓６１ｈには、透光性を有するランプカバー６４が取り付けられる。つまり発光源５０から放射された光はランプカバー６４を通して器体６外部へ出射される。なお、ランプカバー６４は例えば透光性を有する樹脂材料により形成された樹脂成形品である。
【００２７】
さらに、カバー６１の前面における長手方向他端側には、押釦ハンドル６２を操作するための操作ハンドル２を揺動自在に取り付けるための揺動軸部６１ｉが突設される。また、カバー６１の前面における長手方向一端側には、操作ハンドル２の後述する係止爪２０ａが挿入される係止孔６１ｊが形成される。
【００２８】
前述の押釦ハンドル６２は、絶縁性を有する樹脂材料よりなる樹脂成形品であり、後面が開口した直方体の箱状に形成される。また押釦ハンドル６２はカバー６１の凹部６１ｄに収まる形に形成される。押釦ハンドル６２の長手方向（図２（ａ）における左右方向）における両側部には、カバー６１の取付孔部６１ｅに嵌入される取付爪部６２ａが突設される。したがって、押釦ハンドル６２は、各取付爪部６２ａをカバー６１の各取付孔部６１ｃに嵌入することにより、カバー６１の凹部６１ｄ内に前後方向に移動自在に取り付けられる。ここで、押釦ハンドル６２とカバー６１の凹部６１ｄの底壁部との間には、復帰ばね６５と、スライドカム６６とが介在される。復帰ばね６５は、板ばねなどにより形成され、押釦ハンドル６２を前方に付勢する。スライドカム６６は、押釦ハンドル６２の押操作に応じて、反転ハンドル６３を揺動させるものであって、押釦ハンドル６２を１回押操作する毎に、反転ハンドル６３の向き（つまりは、接点開閉機構部４のオン・オフ）が切り替わるように構成される。なお、このようなスライドカム６６の構成については、従来周知であるから説明を省略する。
【００２９】
前述の反転ハンドル６３は、絶縁性を有する樹脂材料よりなる樹脂成形品であり、後面側には、後述する反転ばね４４の前端側が嵌入される保持孔６３ａが設けられる。また、反転ハンドル６３には、カバー６１の一対の軸受け部６１ｇに個別に支持される軸部６３ｂがそれぞれ突設される。したがって、反転ハンドル６３は、軸部６３ｂを軸受け部６１ｇに支持させることによりカバー６１に揺動自在に取り付けられる。さらに、反転ハンドル６３の前端部には、スライドカム６６と係合する係合突起６３ｃがそれぞれ突設される。これによって、反転ハンドル６３は、押釦ハンドル６２の押操作に応じて揺動する。
【００３０】
上述したボディ６０にカバー６１を結合することによって、スイッチ本体１の器体６が構成される。この器体６には、３つの端子板４０と、２つの可動接点（図示せず）が設けられた開閉素子４１と、各端子板４０とともに電線（上記電線挿入孔より器体６内に挿入された電線）を狭持する速結端子を構成する鎖錠ばね４２と、当該速結端子による電線の鎖錠を解除するための前述の解除釦４３と、開閉素子４１と反転ハンドル６３とを連結する連結部材として用いられるコイルスプリング（コイルばね）からなる反転ばね４４とが収納される。そして、３つの端子板４０のいずれか１つには開閉素子４１が揺動自在に支持され、残る２つの端子板４０には開閉素子４１の上記２つの可動接点それぞれに対応する固定接点（図示せず）が形成される。上述した接点開閉機構部４は、このような複数の端子板４０と、開閉素子４１と、鎖錠ばね４２と、解除釦４３と、反転ばね４４とによって構成される。
【００３１】
本実施形態における接点開閉機構部４では、例えば、押釦ハンドル６２を押操作することによって、反転ハンドル６３が揺動して反転ばね４４から開閉素子４１に作用するばね力の向きが反転し、開閉素子４１に２つ設けられた上記可動接点のいずれか一方が、当該可動接点に対応する上記固定接点に接触する、つまり、開閉素子４１を揺動自在に支持する端子板４０は固定接点が設けられた２つの端子板４０のいずれか一方に択一的に接続される。すなわち、本実施形態のスイッチ装置は、所謂３路スイッチ（Ｃ接点型のスイッチともいう）である。この種の３路スイッチに用いられる接点開閉機構部４の構成は従来周知であるから説明を省略する。また、接点開閉機構部４の構成はあくまでも一例であって、３路スイッチ（単極切替型のスイッチ）に用いられるものに限定する趣旨ではない。例えば、接点開閉機構部４としては、片切りスイッチ（単極単投型のスイッチ）や、４路スイッチ（２極切替型のスイッチ）、両切りスイッチ（２極単投型のスイッチ）など、その他様々なスイッチに用いられるものを採用することができる。
【００３２】
照光ブロック５は、例えば、発光源５０や、限流用の抵抗（図示せず）、発光源５０と端子板４０とを電気的に接続する接触子（図示せず）などをプリント基板（図示せず）に実装することで形成される。照光ブロック５の発光源５０には、接点開閉機構部４の開閉状態（オン・オフ状態）に応じて端子板４０を経由して給電が開始または停止される。つまり、照光ブロック５は、接点開閉機構部４の開閉状態に応じて、発光源５０が点灯または消灯するように形成される。本実施形態における照光ブロック５は、発光源５０を、位置表示（主として操作ハンドル２の位置表示）のために点灯する位置表示灯として用いるものである。なお、照光ブロック５としては、発光源５０を、接点への通電時に点灯するパイロット灯として用いるものであってもよいし、その他の用途に用いるものであってもよい。この種の照光ブロック５は従来周知であるから詳細な説明を省略する。
【００３３】
操作ハンドル２は、図４に示すように、ハンドル本体２０と、導光部材となるレンズ２１と、板ばね２２とを備える。ハンドル本体２０は、絶縁性を有する樹脂材料からなる樹脂成形品であり、取付部３の取付窓３ａの内側に収まる形の外周形状を有する長方形の板状に形成される。図３では、ハンドル本体２０の外周形状が、取付窓３ａの内周形状よりやや小さい形に形成された例を示している。なお、操作ハンドル２の外周形状は、ハンドル本体２０の外周形状により決定される。このようなハンドル本体２０の後面の短手方向一端部（図５（ａ）における右端部）には、前述の係止爪２０ａが２つ突設される。２つの係止爪２０ａは、ハンドル本体２０の長手方向（図５（ａ）における上下方向）において互いに離間する。
【００３４】
一方、ハンドル本体２０の前面側における短手方向他端部（図５（ａ）における左端部）には段部２０ｂが形成される。この段部２０ｂによって、ハンドル本体２０の短手方向他端部の前面は短手方向一端部よりも後方に位置する。このような段部２０ｂにおいて器体６のランプカバー６４と対向する部位には、発光源５０の光を通す窓部２０ｃが前後方向に貫設される。また、段部２０ｂの前面には、レンズ２１の取り付けに使用される４つの嵌合凹部２０ｄが、ハンドル本体２０の長手方向に沿って窓部２０ｃと並ぶ形に形成される。
【００３５】
レンズ２１は、例えば透光性（少なくとも発光源５０が放射する光に対して透光性）を有する樹脂材料からなる樹脂成形品であり、ハンドル本体２０の長手方向の長さに等しい長さを有した長尺状に形成される。レンズ２１の後面には、嵌合凹部２０ｄそれぞれと凹凸嵌合する４つの嵌合突起２１ａが一体に突設される。４つの嵌合突起２１ａは、レンズ２１の長手方向に沿って並ぶ形に形成される。したがって、レンズ２１は、嵌合突起２１ａとハンドル本体２０の嵌合凹部２０ｄとを凹凸嵌合させることで、ハンドル本体２０の段部２０ｂの前面側に固定される。そして、ハンドル本体２０に固定された状態では、レンズ２１の長手方向とハンドル本体２０の長手方向とが平行する。つまり、レンズ２１は、ハンドル本体２０の短手方向他端側の縁部（操作ハンドル２において取付部３より前方に臨む部位の縁部）に、当該縁部に沿って配置される。そして、窓部２０ｃを通過した光は、レンズ２１の後面よりレンズ２１に入射され、レンズ２１内を通って、レンズ２１の前面から出射される。したがって、レンズ２１をハンドル本体２０に固定することによって、操作ハンドル２の前面の一の縁部（図３（ａ）における左側の縁部）に、発光源５０が照射した光を前方に出射させる表示窓２ａが操作ハンドル２の上記縁部に沿って形成される。
【００３６】
ハンドル本体２０の段部２０ｂの後面側には、器体６の揺動軸部６１ｉが挿入される凹所２０ｅが形成される。この凹所２０ｅに板ばね２２を収納することによって、板ばね２２と凹所２０ｅとの間で揺動軸部６１ｉを支持する軸受け部２３が構成される。操作ハンドル２は、軸受け部２３に揺動軸部６１ｉを係合させることによって、器体６の前面側に揺動自在に取り付けられる。つまり、操作ハンドル２は、スイッチ本体１に設けられた揺動軸部６１ｉと、操作ハンドル２に設けられ揺動軸部６１ｉと係合される軸受け部２３とからなる係合部Ｓにより、スイッチ本体１の前面側に揺動自在に取り付けられる。
【００３７】
取付部３は、スイッチ本体１が取り付けられる取付枠７と、化粧プレート８とで構成される。取付枠７は、例えば絶縁性を有する樹脂材料からなる樹脂成形品（金属製品であってもよい）であり、器体６の前面（すなわちスイッチ本体１の前面）を露出させる前述の窓孔７ａを中央部に備えた矩形枠状に形成される。この窓孔７ａの短手方向（図１（ａ）における左右方向）における両内側面それぞれには、器体６の取付爪６１ｃが挿入される前述の取付孔７ｂが複数（図示例では８つずつ）設けられる。これら取付孔７ｂは、窓孔７ａの長手方向（図３（ａ）における上下方向）において互いに離間する。したがって、取付爪６１ｃを取付孔７ｂに挿入することによって、器体６（スイッチ本体１）を取付枠７に取り付けることができる。そして、器体６を取付枠７に取り付けた状態では、器体６の前面（スイッチ本体１の前面）が窓孔７ａから前方に露出する。ここで、取付枠７にスイッチ本体１の器体６を取り付けるにあたっては、器体６を取付枠７の後方から挿入して器体６の取付爪６１ｃを取付孔７ｂに挿入すればよい。
【００３８】
この取付枠７の長手方向両端側それぞれには、壁などの造営材に埋込配設された埋込ボックス（図示せず）の開口側に設けた取付舌片（図示せず）に螺合するボックスねじ（図示せず）を挿通するための長孔７ｃが形成される。さらに、取付枠７には、施工面が石膏ボードのようなパネル材であるときに使用するはさみ金具（図示せず）の一端部を係止するはさみ金具取付孔７ｄが取付枠７の短手方向において各長孔７ｃの両側に位置する形に設けられる。また、取付枠７の四隅には、化粧プレート８を取り付けるための係止孔７ｅが形成される。
【００３９】
化粧プレート８は、図６に示すように、取付枠７の前面側に取り付けられる矩形枠状のベース８０と、当該ベース８０の前面側に固定される化粧カバー８１とで構成される。
【００４０】
ベース８０は、例えば絶縁性を有する樹脂材料からなる樹脂成形品であり、中央部に開口窓８０ａを備えた矩形枠状に形成される。開口窓８０ａの開口サイズは、取付枠７の窓孔７ａの開口サイズよりやや大きく設定される。またベース８０の外形サイズは、取付枠７の外形サイズより大きく設定される。このようなベース８０の後面側における四隅には、ベース８０を取付枠７に取り付けるための係止片８０ｂがそれぞれ突設される。したがって、ベース８０は、４つの係止片８０ｂそれぞれを４つの係止孔７ｅそれぞれに挿入し、取付枠７の後面に係止片８０ｂの先端部を係止することにより、取付枠７の前面側に取り付けられる。ところで、ベース８０の短手方向の一辺（図６（ａ）における左辺）、すなわちベース８０の四辺のうちの一辺（図６（ａ）における左辺）には前面側に膨出する膨出部８０ｃが形成される。膨出部８０ｃはベース８０の長手方向を自身の長手方向とする矩形板状のものである。
【００４１】
化粧カバー８１は、ベース８０の長手方向の両辺（図６（ａ）における上辺および下辺）それぞれを覆うことができる矩形板状の一対の脚片８１ａと、一対の脚片８１ａをその長手方向一端側（図６（ａ）における右端側）同士で一体に連結する連結片８１ｂとを有するコ字状の部材である。この連結片８１ｂはベース８０の短手方向の他辺（図６（ａ）における右辺）を覆うことができる矩形板状に形成される。つまり、化粧カバー８１は、ベース８０の四辺のうち膨出部８０ｃが形成された一辺を除く残り三辺の前面を覆う形のコ字状に形成される。また、化粧カバー８１における一対の脚片８１ａ間の距離寸法は、膨出部８０ｃの長手方向における長さ寸法に等しく（実際にはやや大きく）設定される。
【００４２】
上述の化粧カバー８１は、表裏両面に接着剤が塗布されたコ字形の接着シート８２によりベース８０の前面側に取り付けられる。化粧カバー８１をベース８０に取り付けるにあたっては、まず、図７に示すように、ベース８０の前面に接着シート８２を貼り付ける。その後に、一対の脚片８１ａ間に膨出部８０ｃを配置するとともに、膨出部８０ｃの短手方向他端面（図８（ａ）における左端面）と一対の脚片８１ａの先端面とが面一となるようにすることで、化粧カバー８１をベース８０に対して位置決めしてから、化粧カバー８１をベース８０の前面に配置する。つまり、本実施形態では、膨出部８０ｃにより化粧カバー８１をベース８０に位置決めすることができる。なお、本実施形態では、接着シート８１を用いて化粧カバー８１をベース８０に固定しているが、接着シート８２に代えて接着剤（一例としてはゲル状の接着剤）などの接着部材を用いてもよい。
【００４３】
上述した取付部３では、ベース８０の膨出部８０ｃと化粧カバー８１とで囲まれた空間部が、スイッチ本体１の前面を露出させる取付窓３ａとなる。ここで、取付窓３ａの開口縁部となる膨出部８０ｃの短手方向一端部（図３（ａ）における右端部）には、図１および図２に示すように、操作ハンドル２の前面の一部分を覆う被覆部８０ｄが設けられる。被覆部８０ｄは、段部２０ｂの前面においてレンズ２１が設けられていない部分を覆う形に形成される。また、被覆部８０ｄは、図１（ｂ）に示すように、前後方向において係合部Ｓと重複する形に形成される。
【００４４】
このように本実施形態のスイッチ装置においては、取付部３の取付窓３ａの開口縁部に、操作ハンドル２の前面の一部分（本実施形態では、操作ハンドル２の段部２０ｂの前面においてレンズ２１が設けられていない部分）を覆う被覆部８０ｄが設けられている。
【００４５】
したがって、本実施形態のスイッチ装置によれば、取付部３の取付窓３ａの開口縁部に設けた被覆部８０ｄが、操作ハンドル２の前面の一部分を覆っているので、例えば化粧カバー８の取付枠７への取り付け時に化粧カバー８が操作ハンドル２に接触したときや、操作ハンドル２に物体が衝突したとき、スイッチ装置の操作時に操作ハンドル２に過剰な力がかけられたときでも、操作ハンドル２の前面に被覆部８０ｄが当接することによって、操作ハンドル２がスイッチ本体１から外れることが抑制されるから、操作ハンドル２がスイッチ本体１から脱落してしまうことを防止できる。また、故意に操作ハンドル２をスイッチ本体１から外そうとしても、被覆部８０ｄの存在によって、化粧カバー８を取付枠７に取り付けた状態では、操作ハンドル２をスイッチ本体１から外すことができない。このように、本実施形態のスイッチ装置では、操作ハンドル２がスイッチ本体１から容易に外れないから、操作ハンドル２で隠されていたスイッチ本体１に接続された電源線を触ってしまうという危険性を低減できる。
【００４６】
特に、本実施形態のスイッチ装置では、操作ハンドル２をスイッチ本体１の前面側に揺動自在に取り付ける係合部Ｓが被覆部８０ｄにより保護されるので、例えば操作ハンドルに物体が衝突したときなどでも、過大な負荷が係合部Ｓに直接的にかかることが防止され、しかもスイッチ本体１と被覆部８０ｄとで係合部Ｓを挟み込むことで、揺動軸部６０ｉと軸受け部２３との係合状態が解除されることを防止するから、操作ハンドル２がスイッチ本体１から脱落してしまうことを確実に防止できる。
【００４７】
さらに、本実施形態のスイッチ装置では、操作ハンドル２の一の縁部に沿って表示窓２ａが形成されている。そのため、発光源５０が発光した際には操作ハンドル２の縁部が光って見える。したがって、図１６に示す従来例のように、操作ハンドル１１０の一部分に操作ハンドル１１０の幅方向を長手方向とする表示窓１１１を設ける場合に比べれば、発光源５０の発光時に操作ハンドル２と取付部３との境界が分かり易くなり、取付部３を操作ハンドル２と見誤ってしまうことを防止できるから、例えば操作ハンドル２を操作しようとして取付部３を押してしまうことなどを防止でき、その結果、スイッチ装置の操作性を向上することができる。
【００４８】
さらに、取付部３は、取付枠７と、当該取付枠７の前面を覆う形で取付枠７に取り付けられた化粧プレート８とを具備するので、取付枠７のみで取付部３を構成する場合に比べれば、美観を向上することができる。しかも、化粧プレート８のベース８０に設けた膨出部８０ｃを利用して化粧カバー８１のベース８０に対する位置決めを行えるから、図８〜１０に示すように、化粧カバー８１をベース８０の四辺の前面を覆う形の矩形枠状（ロ字状）に形成する場合に比べれば、化粧プレート８の組立性を向上することができる。
【００４９】
また、化粧カバー８１がコ字状であるから、複数の化粧カバー８１を図１１（ａ）に示すように配置することが可能となる。そのため、化粧カバー８１を金属板の打ち抜きなどによって形成する場合には、化粧カバー８１がロ字状である場合に比べれば、化粧カバー８１の中央部分のような無駄となる部分Ｗ（図１１（ｂ）参照）をなくすことができる。つまり、コ字状の化粧カバー８１を用いることで、図１１（ａ），（ｂ）に示すように、同じ大きさの金属板から形成することができる化粧カバー８１の数を、化粧カバー８１がロ字状である場合よりも増やすことができて、化粧カバー８１の製造コストを低減できる。
【００５０】
ところで、図３に示す操作ハンドル２は、３個用の取付枠７に１個モジュール寸法の器体６を１個取り付ける際に用いる操作ハンドル（取付部３の取付窓３ａを１個で覆う程度の寸法を有する操作ハンドル、以下このような操作ハンドルを１個用の操作ハンドルと呼称する）である。本実施形態のスイッチ装置に用いる操作ハンドル２としては、上述の１個用の操作ハンドル２に限られるものではなく、例えば、図１２，１３に示すように、３個用の取付枠７に１個モジュール寸法の器体６を２個取り付ける際に用いる操作ハンドル（取付部３の取付窓３ａを２個で覆う程度の寸法を有した操作ハンドル、以下このような操作ハンドルを２個用の操作ハンドルと呼称する）であってもよく、また、図１４，１５に示すように、３個用の取付枠７に１個モジュール寸法の器体６を３個取り付ける際に用いる操作ハンドル（取付部３の取付窓３ａを３個で覆う程度の寸法を有した操作ハンドル、以下このような操作ハンドルを３個用の操作ハンドルと呼称する）であってもよい。
【００５１】
なお、上述した３種類の操作ハンドル２の長さ方向（器体６の短手方向に沿った方向であり、図３（ａ），図１２（ａ），図１４（ａ）それぞれにおける上下方向）の寸法の関係は、（１個用の操作ハンドル２の長さ方向の寸法）≒（２個用の操作ハンドル２の長さ方向の寸法）×２≒（３個用の操作ハンドル２の長さ方向の寸法）×３になる。
【００５２】
つまるところ、上述したスイッチ装置は、図３に示すように、スイッチ本体１と操作ハンドル２とからなるスイッチ部を１つ備えるものに限定されず、例えば、図１２，１３に示すように、スイッチ部を２つ備えるものであってもよいし、図１４，１５に示すように、スイッチ部を３つ備えるものであってもよい。
【００５３】
以上述べたように、本実施形態のスイッチ装置は、あくまでも本発明の一実施形態に過ぎないものであって、本発明の技術的範囲を本実施形態の例に限定する趣旨ではない。したがって、本実施形態のスイッチ装置については、本発明の趣旨を逸脱しない範囲で変更することができる。例えば、上記の例では、被覆部８０ｄは、前後方向において係合部Ｓと重複する形に形成されているが、被覆部８０ｄは必ずしも前後方向において係合部Ｓと重複する形とする必要はない。一例としては、被覆部８０ｄは、操作ハンドル２の前面における短手方向一端部（図１（ａ）における右端部）を覆う形のものであってよく、要は操作ハンドル２の前面の一部分を覆う形であればよい。
【図面の簡単な説明】
【００５４】
【図１】実施形態１のスイッチ装置を示し、（ａ）は断面図、（ｂ）は同図（ａ）にＰ１で示す部分の拡大図である。
【図２】同上のスイッチ装置を示し、（ａ）は断面図、（ｂ）は同図（ａ）にＰ２で示す部分の拡大図である。
【図３】同上のスイッチ装置を示し、（ａ）は前面図、（ｂ）は左面図、（ｃ）は下面図である。
【図４】同上のスイッチ装置の分解斜視図である。
【図５】同上における操作ハンドルを示し、（ａ）は前面図、（ｂ）は左面図、（ｃ）は下面図、（ｄ）は同図（ａ）におけるＣ−Ｃ線矢視断面図である。
【図６】同上における取付部を示し、（ａ）は前面図、（ｂ）は左面図、（ｃ）は右面図、（ｄ）は下面図である。
【図７】同上におけるベースに接着シートを取り付けた状態を示す前面図である。
【図８】同上における取付部の他例を示し、（ａ）は前面図、（ｂ）は左面図、（ｄ）は下面図である。
【図９】図８に示す取付部の分解斜視図である。
【図１０】図８に示す取付部のベースに接着部材を取り付けた状態を示す前面図である。
【図１１】化粧プレートの製造方法の説明図である。
【図１２】同上のスイッチ装置の他例を示し、（ａ）は前面図、（ｂ）は左面図、（ｃ）は下面図である。
【図１３】同上のスイッチ装置の分解斜視図である。
【図１４】同上のスイッチ装置の他例を示し、（ａ）は前面図、（ｂ）は左面図、（ｃ）は下面図である。
【図１５】同上のスイッチ装置の分解斜視図である。
【図１６】従来のスイッチ装置を示し、（ａ）は前面図、（ｂ）は左面図、（ｃ）は下面図である。
【符号の説明】
【００５５】
１    スイッチ本体
２    操作ハンドル
２ａ  表示窓
３    取付部
３ａ  取付窓
７    取付枠
８    化粧プレート
２３    軸受け部
５０    発光源
６１ｉ  揺動軸部
８０    ベース
８０ｃ  膨出部
８０ｄ  被覆部
８１    化粧カバー
Ｓ    係合部
【図１】
0004655097.tif 000002
【図２】
0004655097.tif 000003
【図３】
0004655097.tif 000004
【図４】
0004655097.tif 000005
【図５】
0004655097.tif 000006
【図６】
0004655097.tif 000007
【図７】
0004655097.tif 000008
【図８】
0004655097.tif 000009
【図９】
0004655097.tif 000010
【図１０】
0004655097.tif 000011
【図１１】
0004655097.tif 000012
【図１２】
0004655097.tif 000013
【図１３】
0004655097.tif 000014
【図１４】
0004655097.tif 000015
【図１５】
0004655097.tif 000016
【図１６】
0004655097.tif 000017